(57)【要約】【課題】  戸を壁面に設置することにより、戸と壁面との隙間を閉鎖して隣側から見えないようにすると共に、施工現場での良好な作業性を確保することができる非常用の戸を提供する。【解決手段】  隣接するベランダ間を仕切る戸本体６を備えた非常用の戸２において、戸本体６とベランダ壁１との間の隙間３を閉鎖するための隠蔽用部材８を戸本体６に一体的に設ける。【選択図】  図１
0003110732.tif 000002
【実用新案登録請求の範囲】
【請求項１】
隣接するベランダ間を仕切る戸本体を備えた非常用の戸において、戸本体と壁面との隙間を閉鎖するための隠蔽用部材を戸本体に一体的に設けてなることを特徴とする非常用の戸。
【請求項２】
隠蔽用部材の少なくとも壁面に当接する先端部分が繊維材からなることを特徴とする請求項１記載の非常用の戸。
【請求項３】
隠蔽用部材が戸本体の天面側と両側面に設けられてなることを特徴とする請求項１又は２記載の非常用の戸。
【請求項４】
戸本体は枠体を備え、枠体を構成するフレームは内向き鍔部を有する略コの字状部を備え、内向き鍔部を有する略コの字状部の溝部に隠蔽用部材を設けた基板が嵌装着されることによって隠蔽用部材が戸本体に一体的に設けられてなることを特徴とする請求項１及至３の何れかに記載の非常用の戸。
【考案の詳細な説明】
【技術分野】
【０００１】
本考案は、隣接するベランダ間を仕切る戸本体を備えた非常用の戸に関する。
【背景技術】
【０００２】
従来、共同住宅等のベランダは、火災等の緊急時に避難通路となるが、プライバシーの保護を図るため、ベランダは非常用の戸によって各部屋のベランダ毎に仕切られている。
【考案の開示】
【考案が解決しようとする課題】
【０００３】
しかし、戸を壁面に設置しても、戸と壁面との間には隙間が生じてしまい、隣側から覗かれる等してプライバシーの保護が十分に図れないという問題があった。また、戸を壁面に設置した後に、シリコンやモルタル等を用いて戸本体と壁面との隙間を埋めることも考えられるが、これでは施工現場での作業性が悪くなるという問題がある。
【０００４】
そこで、本考案は、戸を壁面に設置することにより、戸と壁面との隙間を閉鎖して隣側から見えないようにすると共に、施工現場での良好な作業性を確保することができる非常用の戸を提供することを課題とする。
【課題を解決するための手段】
【０００５】
本考案は、上記課題を解決すべくなされたものであり、本考案に係る非常用の戸は、隣接するベランダ間を仕切る戸本体を備えた非常用の戸において、戸本体と壁面との隙間を閉鎖するための隠蔽用部材を戸本体に一体的に設けてなることを特徴とする。
【０００６】
該構成の非常用の戸にあっては、戸が隠蔽用部材を備えているので、戸を壁面に設置すると、隠蔽用部材が戸本体と壁面との間の隙間を閉鎖する。また、隠蔽用部材が戸本体に一体的に設けられているので、戸を壁面に設置するだけで、容易に戸本体と壁面との隙間を閉鎖することができる。
【０００７】
特に、隠蔽用部材が、その少なくとも壁面に当接する先端部分が繊維材からなることが好ましい。繊維材は切断して長さを調節することが容易にできるので、施工時に隠蔽用部材の寸法を戸本体と壁面との隙間の寸法に容易に合わせることができ、施工現場での作業性を向上させることができる。
【０００８】
また、繊維材は、一本の繊維ごとに独立してたわむので、壁面の凹凸に沿った形状となる。従って、戸本体と壁面との隙間をより確実に閉鎖することができる。
【０００９】
更に、繊維一本一本の間には微小な隙間があり、この隙間から空気が出入りすることができ、壁面に戸を設置した後であっても風通しを良くすることができる。
【００１０】
また、隠蔽用部材を戸本体の天面側と両側面に設けていることが好ましい。隠蔽用部材を戸本体の天面側と両側面に設けることによって、それぞれの側において戸本体と壁面とが接触することを防止することができるので、戸本体や壁面が傷付くことを防止することができる。
【００１１】
更に、戸本体は枠体を備え、枠体を構成するフレームは、内向き鍔部を有する略コの字状部を備え、内向き鍔部を有する略コの字状部の溝部に隠蔽用部材を設けた基板が嵌装着されることによって隠蔽用部材が戸本体に一体的に設けられることが好ましい。隠蔽用部材を基板に設けることにより、これらを一体として取り扱うことができるので、隠蔽用部材が老朽化したときの取り替えが容易になる。また、略コの字状部に内向き鍔部を設けることによって、略コの字状部の溝部に嵌装着された基板を外部から触れにくくなり、悪戯に基板を剥がされにくくなる。また、仮に、基板が剥がされたとしても、基板が鍔部に引っ掛かって戸本体から隠蔽用部材を取り外しにくくなり、プライバシーの保護を強化することができる。更に、隠蔽用部材を戸本体に設ける際には、隠蔽用部材が設けられた基板を略コの字状部の溝部に沿って通していくこととなり、逆に、隠蔽用部材を戸から外す際には、隠蔽用部材が設けられた基板を略コの字状部の溝部に沿って抜き取ることとなるため、取り付け作業及び取り替え作業が容易となる。
【考案の効果】
【００１２】
このように、本考案に係る非常用の戸にあっては、戸本体と壁面との隙間を閉鎖するための隠蔽用部材が戸本体に一体的に設けられているので、戸を壁面に設置するだけで容易に隣側から見えなくすることができ、プライバシーの保護を十分に図ると共に、施工現場での良好な作業性を確保することができるという効果を奏する。
【考案を実施するための最良の形態】
【００１３】
以下、本考案に係る非常用の戸とそれを設置したベランダ壁の一実施形態について図面を参酌しつつ説明する。
図１に、本実施形態における非常用の戸２(消防法上の避難器具)を設置したベランダ壁１が示されている。該ベランダ壁１は共同住宅等のベランダを家毎に仕切る略長方形の壁であるが、底面側３ｃには非常時に通路となるように縦方向に長い長方形の貫通部３（以下、非常口３という）が設けられており、非常口３には天面３ａと両側面３ｂには隙間ができないように、両側面３ｂに設けられた、図５に示す断面略Ｌ字形状のブラケット４を用いて戸２が設置され閉鎖されている。非常口３は例えば縦寸法Ｈ１が１３３０ｍｍであり横寸法Ｗ１が７２０ｍｍである。尚、ブラケット４を非常口３の側面３ｂに取り付けるには、例えばカールプラグ５やアンカーボルト等が用いられる。
【００１４】
図２に示すように、戸２は、縦方向に長い長方形状であり、縦方向に長い長方形の戸本体６と、戸本体６の天面側６ａと両側面６ｂとにそれぞれ設けられる基板７と、それぞれの基板７に設けられる隠蔽用部材８とを備える。戸２は、天面側６ａの隠蔽用部材８が非常口３の天面３ａに、両側面６ｂの隠蔽用部材８が非常口３の両側面３ｂにそれぞれ接した状態でベランダ壁１に設置される。戸２の横寸法Ｗ２は例えば７２０ｍｍであり非常口３の横寸法Ｗ１とほぼ同じであるが、縦寸法Ｈ２は非常口３の縦寸法Ｈ１より小さく例えば１３１０ｍｍである。
【００１５】
戸本体６は、縦方向に長い長方形状であるが、長方形状の枠を形成する枠体９と、枠体９の内側に嵌め込まれる長方形状の仕切り板１０と、仕切り板１０と枠体９との隙間に嵌め込まれる止め金具１１とを備えている。戸本体６の縦寸法Ｈ３及び横寸法Ｗ３は戸２の縦寸法Ｈ２及び横寸法Ｗ２より小さく、縦寸法Ｈ３は例えば１３００ｍｍであり、横寸法Ｗ３は例えば７００ｍｍである。尚、仕切り板１０は、非常時に破壊することができる材質からなる板であり、例えば石綿材を芯材とした板や合成樹脂発泡体からなる板であり、その表面には塗装や印刷が施されたりする。また、戸本体６の形状は任意に設計変更可能である。
【００１６】
枠体９は、横方向に伸びる天面側フレーム１２と、これに対向する底面側フレーム１３と、縦方向に伸びて天面側フレーム１２と底面側フレーム１３とを接続する一対の側面側フレーム１４とを備える。枠体９は、天面側フレーム１２の両端面１２ａと底面側フレーム１３の両端面１３ａとが、側面側フレーム１４に接して結合され長方形枠を形成している。枠体９を形成する各フレームは金属製のフレームであり、例えばアルミニウム製のフレームであり、押出成型等によって製造される。
【００１７】
図３及び図４に示すように、天面側フレーム１２は、断面略長方形状の棒状体であり、断面略Ｈ形状である主フレーム１５と、断面略コの字形状である蓋フレーム１６とで構成される。
【００１８】
主フレーム１５は、断面略Ｈ形状であり、Ｈ形状の連結部に側面側フレーム１４との結合に用いられるボルト孔１２ｂを備えている。
【００１９】
断面略コの字形状の蓋フレーム１６は、コの字形状の連結部１６ｂに、長さ方向全域にわたって、コの字形状の外側に向けて所定の間隔を有する平行に突き出した一対の突起部１６ｃを有する。この突起部１６ｃの先端には、長さ方向全域にわたって内向きに鍔部１６ｄが設けられる。即ち、それぞれの突起部１６ｃの先端に、長さ方向全域にわたって、互いに向かい合って所定の隙間となるように突出した部分１６ｄを有する。
【００２０】
天面側フレーム１２は、主フレーム１５がＨ形状を縦向きとして、主フレーム１５の縦方向上側の開口部１５ａの内側に蓋フレーム１６のコの字形状の脚部１６ａが嵌め込まれることにより形成される。従って、天面側フレーム１２は、天面側に内向きに鍔部１６ｄを有する断面略コの字形状部１６ｅを有し、底面側に仕切り板１０を嵌め込むための溝部１２ａを有する。そして、断面略コの字形状部１６ｅの溝部１６ｆに、後述する隠蔽用部材８を備えた基板７が嵌装着され、隠蔽用部材８が戸本体６に一体的に設けられる。
【００２１】
一方、図５及び図６に示すように、縦方向に伸びる側面側フレーム１４は、断面略コの字形状の棒状体であり、コの字形状の脚部１４ａの先端には、長さ方向全域にわたって、内向き鍔部１４ｂが設けられている。即ち、コの字形状のそれぞれの脚部１４ａの先端に、長さ方向全域にわたって、互いに向かい合って所定の隙間となるように突出した部分１４ｂを有する。また、側面側フレーム１４は、仕切り板１０を嵌め込むための溝部１４ｄと、ブラケット４とを結合するボルト等の締結部材１７が嵌め込まれる溝部１４ｅとを備える。そして、断面略コの字形状の溝部１４ｆに、後述する隠蔽用部材８を備えた基板７が嵌装着され、隠蔽用部材８が戸本体６に一体的に設けられる点は、蓋フレーム１６の場合と同様である。
【００２２】
図３に示すように、底面側フレーム１３は、断面略Ｈ形状であり、天面側フレーム１２を形成する主フレーム１５と同様の断面形状である。即ち、底面側フレーム１３には隠蔽用部材８を設けないため、基板７を嵌装着する溝部は有していない。底面側フレーム１３は、Ｈ形状が縦向きとなる向きで枠体９を形成し、枠体９の内側となる開口部１３ａには仕切り板１０が嵌め込まれる。
【００２３】
一方、図７に示すように、戸本体６に設けられる基板７は、断面略長方形状の帯状体であり、網目状の基布７ａと板状のプレート７ｂとが層を成すことによって形成される。その長さは、図１に示すように、戸本体６の天面側６ａに設けられる基板７については、非常口３の横寸法Ｗ１とほぼ同じ長さであり、戸本体６の両側に設けられる基板７については、側面側フレーム１４とほぼ同じ長さである。基布７ａ及びプレート７ｂの材質は例えば合成樹脂である。尚、基板７は例えば基布７ａのみで形成してもよい。
【００２４】
それぞれの基板７に対応して設けられる隠蔽用部材８は、合成樹脂からなる所定の長さの繊維材の集合体である。隠蔽用部材８は、基板７を形成する網目状の基布７ａに長さ方向全域にわたって折り返し形状で編み込まれ、基布７ａの裏面側からプレート７ｂを接着することによって固定され基板７と一体となる。隠蔽用部材８の折り返し部８ａから先端までの長さは例えば１０ｍｍ乃至１５ｍｍである。尚、隠蔽用部材８は基板７に直接接着してもよい。
【００２５】
そして、隠蔽用部材８と一体となった基板７は、図４に示すように、蓋フレーム１６の内向き鍔部１６ｄを有する断面略コの字形状部１６ｅの溝部１６ｆに、互いに向かい合う内向き鍔部１６ｄの間から隠蔽用部材８が外側に出るようにして、蓋フレーム１６の一端側から差し込まれる。そして、差し込まれた基板７は、蓋フレーム１６の長手方向に他端側まで溝部１６ｆに沿って通された後、溝部１６ｆの底面１６ｇに接着され蓋フレーム１６に設けられる。隠蔽用部材８が設けられた蓋フレーム１６は、主フレーム１５と結合して天面側フレーム１２を形成し、これにより、隠蔽用部材８が天面側フレーム１２に一体的に設けられる。側面側フレーム１４についても同様である。即ち、隠蔽用部材８と一体となった基板７は、図６に示すように、側面側フレーム１４の内向き鍔部１４ｂを有する断面略コの字形状の溝部１４ｆに、内向き鍔部１４ｂの間から隠蔽用部材８が外側に出るようにして、側面側フレーム１４の一端側から差し込まれる。そして、差し込まれた基板７は、側面側フレーム１４の長手方向に他端側まで溝部１４ｆに沿って通された後、溝部１４ｆの底面１４ｇに接着され側面側フレーム１４に一体的に設けられる。このようにして隠蔽用部材８が設けられた天面側フレーム１２と側面側フレーム１４とを用いることによって、図２に示すように、非常用の戸２は形成される。そして、老朽化等のため隠蔽用部材８を取り替える場合には、戸２に設けられている老朽化した隠蔽用部材８を備える基板７を、溝部１４ｆ，１６ｆの底面１４ｇ，１６ｇから剥がし、その剥がした基板７を、各フレーム１４，１６の長手方向に溝部１４ｆ，１６ｆに沿って抜き取ることによって、戸２から老朽化した隠蔽用部材８を取り外す。その後、新品の隠蔽用部材８を備える基板７を、上記の取り付け方法と同様にして溝部１４ｆ，１６ｆの底面１４ｇ，１６ｇに接着して、戸本体６に新品の隠蔽用部材８を設けることによって、老朽化した隠蔽用部材８を新品の隠蔽用部材８に交換する。尚、例えばネジ等の締結部材によって、基板７が蓋フレーム１６や側面側フレーム１４に設けられてもよい。
【００２６】
以上のような構成の非常用の戸２をベランダ壁１に設置すると、隠蔽用部材８が戸本体６の天面側６ａと両側面側６ｂから外側に突き出た状態であるので、戸２をベランダ壁１に設置することにより、容易に戸本体６とベランダ壁１との間の隙間３を閉鎖して隣側から見えなくすることができ、施工現場での良好な作業性を確保すると共に、プライバシーの保護を十分に図ることができるという効果を奏する。
【００２７】
また、隠蔽用部材８は樹脂からなる繊維材であり、繊維材は切断して長さを調節することが容易であるので、施工時に隠蔽用部材８の寸法を戸本体６とベランダ壁１との隙間３の寸法に容易に合わせることができ、施工現場での作業性を向上させることができる。
【００２８】
また、繊維材は、一本の繊維ごとに独立してたわむので、戸２をベランダ壁１に設置すると、個々の繊維がベランダ壁１の凹凸に応じてたわむ。これにより全体として隠蔽用部材８の形状が、戸本体６とベランダ壁１との間の隙間３の形状に沿うような形状となる。従って、戸本体６とベランダ壁１との隙間３をより確実に閉鎖することができる。
【００２９】
更に、繊維一本一本の間には微小な隙間があり、この隙間から空気が出入りするため、戸２をベランダ壁１に設置した後であっても風通しを良くすることができる。
【００３０】
また、隠蔽用部材８を戸本体６の天面側６ａと両側面６ｂに設けているので、戸本体６とベランダ壁１とが直接接触することを防止することができ、戸本体６やベランダ壁１が傷付くことを防止することができる。
【００３１】
更に、隠蔽用部材８を基板７に設けることにより、これらを一体として取り扱うことができるので、隠蔽用部材８が老朽化したときの取り替えが容易になる。
【００３２】
また更に、隠蔽用部材８を備えた基板７が接着されている断面略コの字状部の溝部１４ｆ，１６ｆに内向きに鍔部１４ｂ，１６ｄを設けることにより、外部からは基板７に触れにくくなり、悪戯に基板７を溝部１４ｆ，１６ｆから剥がしにくくなる。また、仮に、基板７が剥がされたとしても、基板７が内向き鍔部１４ｂ，１６ｄに引っ掛かり、戸本体６から隠蔽用部材８を取り外しにくくなっているため、プライバシーの保護を強化することができる。更に、隠蔽用部材８を戸本体６に設ける際には、隠蔽用部材８が設けられた基板７を溝部１４ｆ，１６ｆに沿って通していくこととなり、逆に、隠蔽用部材８を戸２から外す際には、隠蔽用部材８が設けられた基板７を溝部１４ｆ，１６ｆに沿って抜き取ることとなるため、隠蔽用部材８の取り付け作業、及び隠蔽用部材８が老朽化したときの隠蔽用部材８の取り替え作業が容易となる。
【００３３】
また、戸本体６の天面側６ａに設けられる基板７の長さを、非常口３の横寸法Ｗ１とほぼ同じ長さにしているので、戸２を設置したときに戸本体６の天面側６ａとベランダ壁１との間の隙間３を横方向全域にわたって閉鎖することができる。
【００３４】
更に、戸２は、その天面側６ａが非常口３の天面３ａに接するようにベランダ壁１に設置される。そして、戸２の縦寸法Ｈ２は非常口３の縦寸法Ｈ１より小さく、戸本体６の底面側６ｃには隠蔽用部材８を設けていないので、戸本体６の底面側６ｃとベランダの床面３ｃとの間の隙間３は閉鎖されないことになり通気性を確保することができる。
【００３５】
尚、本実施形態では、天面側フレーム１２が主フレーム１５と蓋フレーム１６の二つの部材からなる場合について説明したが、例えば側面側フレーム１４のように一つの部材からなる場合であってもよい。また、側面側フレーム１４についても一つの部材からなる場合に限られず、例えば天面側フレーム１２のように主フレーム１５と蓋フレーム１６の二つの部材からなる場合であってもよい。何れにしても、各フレーム１２，１４が内向き鍔部１４ｂ，１６ｄを有する断面略コの字形状部を有することが好ましい。
【００３６】
また、本実施形態では、隠蔽用部材８は繊維材である場合について説明したが、柔軟な部材であればよく、例えばゴム部材や合成樹脂からなる部材である場合でもよい。但し、隠蔽用部材８を繊維材とすることにより、施工時の隠蔽用部材８の寸法と、戸本体６とベランダ壁１との間の隙間３との寸法合わせが容易となり、施工現場での作業性を向上させることができる。また、繊維材は一本の繊維ごとに独立してたわみ、ベランダ壁１の凹凸に沿った形状となるので、戸本体６とベランダ壁１との隙間３をより確実に閉鎖することができる。更に、繊維一本一本の間には微小な隙間があり、この隙間から空気が出入りすることができ、戸をベランダ壁１に設置した後であっても風通しを良くすることができる。
【００３７】
更に、本実施形態では、戸本体６の天面側６ａと両側面６ｂとに隠蔽用部材８を備える場合について説明したが、図８(Ａ)及び(Ｂ)に示すように、隠蔽用部材８を戸本体６の天面側６ａと一側面６ｂとに設ける場合や両側面６ｂに設ける場合でもあってもよい。また、(Ｃ)に示すように、一側面６ｂにのみ設ける場合であってもよい。何にしても、戸本体６とベランダ壁１との間の隙間３を、隠蔽用部材８により閉鎖することで隣側から見えなくすることができる。但し、隠蔽用部材８を戸本体６の天面側６ａと両側面６ｂとに設けることにより、ベランダ壁１と戸本体６とが直接接触するのを防止することができるので、ベランダ壁１や戸本体６が傷付くのを防止することができる。
【００３８】
また更に、本実施形態では、隠蔽用部材８を設けた基板７が、内向き鍔部１４ｂ，１６ｄを有する断面略コの字形状部の溝部１４ｆ，１６ｆに設けられる場合について説明したが、例えば、図９に示すように、内向き鍔部１４ｂを有さない断面略コの字形状部の溝部１４ｆに設けてもよい。この外にも例えば、図１０に示すように、溝部を設けず側面側フレーム１４の外周面に直接基板７を設けてもよい。何れにしても、隠蔽用部材８が戸本体６に一体的に設けられることにより、戸２をベランダ壁１に設置するだけで、戸２とベランダ壁１との間の隙間３を閉鎖して隣側から見えないようにすると共に、施工現場での良好な作業性を確保することができる。但し、内向き鍔部１４ｂ，１６ｄを有する断面略コの字形状部の溝部１４ｆ，１６ｆに基板７を設けることにより、基板７を戸本体６から悪戯に外すことができなくなると共に、隠蔽用部材８の取り替えが容易となる利点がある。
【図面の簡単な説明】
【００３９】
【図１】本考案の一実施形態に係るベランダ壁を示す正面図。
【図２】同ベランダ壁に設置される非常用の戸の正面図。
【図３】図１のＡ−Ａ線断面拡大図。
【図４】図３のＰ部拡大図。
【図５】図１のＢ−Ｂ線断面拡大図。
【図６】図４のＱ部拡大図。
【図７】同ベランダ壁に設置される非常用の戸が備える隠蔽用部材と基板の拡大断面図。
【図８】（Ａ）乃至（Ｃ）は、他の実施形態におけるベランダ壁を示す正面図。
【図９】他の実施形態におけるベランダ壁の要部拡大断面図。
【図１０】他の実施形態におけるベランダ壁の要部拡大断面図。
【符号の説明】
【００４０】
１…ベランダ壁、２…非常用の戸、３…非常口、４…ブラケット、５…カールプラグ、６…戸本体、７…基板、８…隠蔽用部材、９…枠体、１０…仕切り板、１１…止め金具、１２…天面側フレーム、１３…底面側フレーム、１４…側面側フレーム、１５…主フレーム、１６…蓋フレーム、１７…締結部材
【図１】
0003110732.tif 000003
【図２】
0003110732.tif 000004
【図３】
0003110732.tif 000005
【図４】
0003110732.tif 000006
【図５】
0003110732.tif 000007
【図６】
0003110732.tif 000008
【図７】
0003110732.tif 000009
【図８】
0003110732.tif 000010
【図９】
0003110732.tif 000011
【図１０】
0003110732.tif 000012